(57)【要約】【課題】高階調化、安定動作が可能なプラズマディスプレイパネルの駆動方法を実現することを目的とする。【解決手段】１フィールド期間を複数のサブフィールドに分割し、サブフィールド期間ではセットアップ動作とアドレス動作と維持動作とを分離して実行し且つアドレス動作が他の行電極の維持動作と重なるように実行し、アドレス周期を維持周期のｎ／２倍あるいは１／ｎ倍（ｎは整数）に変化させることを特徴とするプラズマディスプレイパネルの駆動方法である。【選択図】図５
2005331817.tif 000002
【特許請求の範囲】
【請求項１】
行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、１フィールド期間を複数のサブフィールドに分割し、サブフィールド期間ではセットアップ動作とアドレス動作と維持動作とを分離して実行し且つアドレス動作が他の行電極の維持動作と重なるように実行し、サブフィールドによってアドレス周期を維持周期のｎ／２倍あるいは１／ｎ倍（ｎは整数）に変化させることを特徴とするプラズマディスプレイパネルの駆動方法。
【請求項２】
行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、１フィールド期間を複数のサブフィールドに分割し、サブフィールド期間ではセットアップ動作とアドレス動作と維持動作とを分離して実行し且つアドレス動作が他の行電極の維持動作と重なるように実行し、アドレス期間内においてアドレス周期を維持周期のｎ／２倍あるいは１／ｎ倍（ｎは整数）に変化させることを特徴とするプラズマディスプレイパネルの駆動方法。
【発明の詳細な説明】
【技術分野】
【０００１】
本発明は、放電を制御することにより画像を表示するプラズマディスプレイパネルの駆動方法に関するものである。
【背景技術】
【０００２】
プラズマディスプレイパネル（ＰＤＰ）は、ガス放電に伴う発光及び紫外線による蛍光体の励起発光を利用した大画面化・薄型化が可能な表示パネルであり、交流（ＡＣ）駆動型と直流（ＤＣ）駆動型があるが、輝度、発光効率および寿命等の面から、ＡＣ駆動型が主流となっている。
【０００３】
そしてその構造は、行方向に延び表示ラインを形成する複数の行電極と、行電極に交差して配列された複数の列電極とを有し、列電極と行電極とが交差する位置には、発光単位となる放電空間である放電セルが形成されたものとなっている（例えば、非特許文献１参照）。
【非特許文献１】内池平樹、御子柴茂生共著、「プラズマディスプレイのすべて」（株）工業調査会、１９９７年５月１日、ｐ７９−ｐ８０、ｐ１５３−１５４
【発明の開示】
【発明が解決しようとする課題】
【０００４】
本発明は、高階調化、安定動作が可能なプラズマディスプレイパネルの駆動方法を実現することを目的とする。
【課題を解決するための手段】
【０００５】
上記目的を実現するために本発明のプラズマディスプレイパネルの駆動方法は、行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、１フィールド期間を複数のサブフィールドに分割し、サブフィールド期間ではセットアップ動作とアドレス動作と維持動作とを分離して実行し且つアドレス動作が他の行電極の維持動作と重なるように実行し、サブフィールドによってアドレス周期を維持周期のｎ／２倍あるいは１／ｎ倍（ｎは整数）に変化させることを特徴とするものである。
【０００６】
また、上記目的を実現するために本発明のプラズマディスプレイパネルの駆動方法は、行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、１フィールド期間を複数のサブフィールドに分割し、サブフィールド期間ではセットアップ動作とアドレス動作と維持動作とを分離して実行し且つアドレス動作が他の行電極の維持動作と重なるように実行し、アドレス期間内においてアドレス周期を維持周期のｎ／２倍あるいは１／ｎ倍（ｎは整数）に変化させることを特徴とするものである。
【発明の効果】
【０００７】
本発明のプラズマディスプレイパネルの駆動方法によれば、アドレス時間を安定に増加させることができ、もって高階調化、安定動作が可能となる。
【発明を実施するための最良の形態】
【０００８】
すなわち、本発明の請求項１に記載の発明は、行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、１フィールド期間を複数のサブフィールドに分割し、サブフィールド期間ではセットアップ動作とアドレス動作と維持動作とを分離して実行し且つアドレス動作が他の行電極の維持動作と重なるように実行し、サブフィールドによってアドレス周期を維持周期のｎ／２倍あるいは１／ｎ倍（ｎは整数）に変化させることを特徴とするプラズマディスプレイパネルの駆動方法である。
【０００９】
また、請求項２に記載の発明は、行方向に延び表示ラインを形成する複数の行電極と、行電極に交差して配列された複数の列電極と、列電極と行電極とが交差する位置においてそれぞれ発光単位を形成する放電空間とを設けたプラズマディスプレイパネルの駆動方法において、１フィールド期間を複数のサブフィールドに分割し、サブフィールド期間ではセットアップ動作とアドレス動作と維持動作とを分離して実行し且つアドレス動作が他の行電極の維持動作と重なるように実行し、アドレス期間内においてアドレス周期を維持周期のｎ／２倍あるいは１／ｎ倍（ｎは整数）に変化させることを特徴とするプラズマディスプレイパネルの駆動方法である。
【００１０】
以下、本発明の実施の形態について図面を参照しながら説明する。
【００１１】
（実施の形態１）
図１は、本発明の一実施の形態によるＰＤＰの駆動方法により駆動されるＰＤＰの概略構成を示す断面斜視図である。
【００１２】
ＰＤＰ１の前面板２は、前面側のガラスのような透明且つ絶縁性の基板３の一主面上に形成した、スキャン電極４とサステイン電極５とからなり行方向に延び表示ラインを形成する行電極６と、その行電極６を覆う誘電体層７と、さらにその誘電体層７を覆う、例えばＭｇＯによる保護層８とを有する構造である。スキャン電極４とサステイン電極５は、電気抵抗の低減を目的として、透明電極４ａ、５ａに金属材料からなるバス電極４ｂ、５ｂを積層した構造としている。
【００１３】
また、背面板９は、背面側のガラスのような絶縁性の基板１０の一主面上に形成した、列電極であるアドレス電極１１と、このアドレス電極１１を覆う誘電体層１２と、誘電体層１２上のアドレス電極１１の間に相当する場所に位置する隔壁１３と、隔壁１３間に、赤色の蛍光体層１４Ｒ、緑色の蛍光体層１４Ｇ、青色の蛍光体層１４Ｂからなる蛍光体層１４を有する構造である。
【００１４】
そして、前面板２と背面板９とは、隔壁１３を挟んで、行電極６とアドレス電極１１とが直交するように対向し、画像表示領域の外の周囲を封着部材により封止した構成であり、前面板２と背面板９との間に形成された放電空間１５には、例えばＮｅ−Ｘｅ５％の放電ガスが６６．５ｋＰａ（５００Ｔｏｒｒ）の圧力で封入されている。
【００１５】
そして、放電空間１５の行電極６とアドレス電極１１との交差部が発光単位となる放電空間である放電セル１６として動作する。
【００１６】
図２は、放電セル１６の概略構成を模式的に示す断面図である。
【００１７】
放電セル１６では、前面板２の基板３上には、スキャン電極４とサステイン電極５とが並行して形成されることで行電極６を構成し、そしてこの行電極６は誘電体層７及び保護層８で覆われている。
【００１８】
また、基板３に対して隔壁１３を挟んで対向配置される背面板９の基板１０上には、列電極であるアドレス電極１１が行電極６に対し直交するように形成され、その上には誘電体層１２が設けられている。さらに誘電体層１２の上には蛍光体層１４が塗布されている。
【００１９】
この放電セル１６において、スキャン電極４とアドレス電極１１との間に放電開始電圧Ｖｆよりも高いパルス電圧（書き込みパルス）を印加すると放電が発生する。その時、正電圧を印加しているアドレス電極１１上の蛍光体層１４の表面には負電荷が蓄積され、負電圧を印加しているスキャン電極４側の保護層８付近の表面には正電荷が蓄積される。また、同時に正電圧を印加しているサステイン電極５側の保護層８付近の壁面には、アドレス電極１１と同じく負電荷が蓄積する。
【００２０】
ここで、この保護層８、蛍光体層１４のそれぞれの表面に蓄積された電荷を壁電荷といい、この壁電荷によって誘起された電圧を壁電圧Ｖｗという。書き込みパルスを印加することで放電を発生させ壁電荷を生成させることをアドレス放電といい、ある単位ライン分のアドレス放電する期間をアドレス期間という。
【００２１】
スキャン電極４側に正電荷、サステイン電極５及びアドレス電極１１側に負電荷を蓄積させた状態で、スキャン電極４とサステイン電極５間にパルス状の高電圧Ｖｉを印加すると、壁電圧Ｖｗと印加電圧Ｖｉとの和（＝セル電圧Ｖｃ）が放電開始電圧Ｖｆを超えた場合、放電が発生する。一旦、放電が開始されると、常に前放電時の電極とは正負逆極性の壁電荷が再蓄積されるので、スキャン電極４及びサステイン電極５に交互に反転する周期的パルス電圧が印加し続ける間放電は維持される。この放電を維持放電といい、維持放電している期間を維持期間と呼ぶ。
【００２２】
印加電圧Ｖｉは放電開始電圧Ｖｆよりも低く設定し、壁電圧（壁電荷）が無い場合は、セル電圧Ｖｃ＝Ｖｗ＋Ｖｉ＝Ｖｉ＜Ｖｆとなり、維持放電が発生しないようにする。このように、アドレス放電によって発生する壁電圧Ｖｗの有無により、次に続く維持放電の有無を決定されることで選択的放電が実現できる。
【００２３】
図３は本発明の一実施の形態によるＰＤＰの駆動方法を行う駆動装置の概略構成を示すブロック図であり、図４〜図７は、それに対するブロック駆動について説明した図である。
【００２４】
図３に示すように、ＰＤＰ１を駆動する駆動装置は、アドレスドライバ１０２、４つのスキャンドライバ１３１〜１３４、４つのサステインドライバ１４１〜１４４、放電制御タイミング発生回路１０５、Ａ／Ｄコンバータ（アナログ・デジタル変換器）１０６、走査数変換部１０７およびサブフィールド変換部１０８を備える。
【００２５】
Ａ／Ｄコンバータ１０６は、映像信号ＶＤをデジタルの画像データに変換し、その画像データを走査数変換部１０７に与える。走査数変換部１０７は、画像データをＰＤＰ１の画素数に応じたライン数の画像データに変換し、各ラインごとの画像データをサブフィールド変換部１０８に与える。各ラインごとの画像データは、各ラインの複数の画素にそれぞれ対応する複数の画素データからなる。サブフィールド変換部１０８は、各ラインごとの画像データの各画素データを複数のサブフィールドに対応する複数のビットに分割し、各サブフィールドごとに各画素データの各ビットをアドレスドライバ１０２にシリアルに出力する。
【００２６】
放電制御タイミング発生回路１０５は、水平同期信号Ｈおよび垂直同期信号Ｖを基準として、放電制御タイミング信号ＳＣ１〜ＳＣ４と放電制御タイミング信号ＳＵ１〜ＳＵ４を発生し、放電制御タイミング信号ＳＣ１〜ＳＣ４をスキャンドライバ１３１〜１３４にそれぞれ与え、放電制御タイミング信号ＳＵ１〜ＳＵ４をサステインドライバ１４１〜１４４にそれぞれ与える。
【００２７】
次に、このように４分割したブロックにおいて、それぞれの動作が順次行われる。以下、その動作について説明する。
【００２８】
図４は、図３のプラズマディスプレイ装置の各ブロックにおけるセットアップ期間ＳＴ、アドレス期間ＡＤおよび維持期間ＳＵＳのタイミングを示したタイミングチャートである。図４の縦軸は第１ラインから第４Ｌラインまでのラインを示し、横軸は時間を示す。図４に示すように、ＰＤＰ１は第１〜第４ブロックからなる領域に４分割されている。
【００２９】
放電タイミングは次のように制御される。まず、第１ブロックの第１サブフィールドＳＦ１でセットアップ期間ＳＴが開始される。セットアップ期間ＳＴが終了した後に、第１ブロックのアドレス期間ＡＤが開始され、第１ブロックのアドレス期間ＡＤが終了した後、第１ブロックの維持期間ＳＵＳが開始される。
【００３０】
次に、第２ブロック以降の動作を開始するが、時間を有効に使ってサブフィールド数を増やすために、第２以降のブロックをできる限り前に詰めて動作させることを考える。
【００３１】
このとき、あるブロックのアドレス期間ＡＤと他のブロックのセットアップ期間ＳＴとは誤発光が発生するため、時間を重ねて実行することができない。このため、時間を詰める最短のタイミングとして第１ブロックのアドレス期間ＡＤの終了直後に第２ブロックのセットアップ期間ＳＴを開始する動作を行っている。
【００３２】
続いて第２ブロックのアドレス期間ＡＤを開始し、第２ブロックのアドレス期間ＡＤが終了した後、第２ブロックの維持期間ＳＵＳを開始する。
【００３３】
以降、第２ブロックと同様に第３および第４のブロックにおいても、一つ前のブロックのアドレス期間が終了したと同時に次のブロックのセットアップ期間ＳＴを開始する。以上のようにして、アドレス期間ＡＤとセットアップ期間ＳＴとが重ならないように前に詰めて駆動している。
【００３４】
次に、第１ブロックの第２サブフィールドの開始であるが、たとえば図に示す駆動方式は、セットアップを１フィールドに一回のみ実行し、その後はアドレス動作を行う方式例として説明する。この駆動方式は、第２サブフィールド以降はアドレス期間ＡＤと維持期間ＳＵＳを交互に繰り返すのみの駆動方法であり、その時は各ブロック間でアドレス期間ＡＤが重ならないことにのみ注意を払って各動作をずらして実行している。
【００３５】
また、第１サブフィールドの維持期間ＳＵＳは、第１サブフィールドのアドレス期間が終了した時点からこの第２サブフィールドのアドレス期間ＡＤが始まるまでの期間をすべてあてることができる。これは、各ブロック間でスキャン電極とサステイン電極を別々に持っているため、他ブロックがセットアップを実行していても影響されることなく維持動作を行うことができる。この結果、維持期間を長く確保できる。
【００３６】
このように、画面をブロック単位に分割し、維持期間とアドレス期間をブロック間で重ねることにより、アドレス期間を短縮することができる。このため、維持期間を長く確保することができ、サブフィールド数を増加させることができる。その結果、階調を精度良く実現することができ、高階調化が可能となる。
【００３７】
また、駆動方法としては、各サブフィールドを連続して点灯させ、所望のサブフィールド数分を点灯させた後、消去アドレス動作を行って維持発光を止める、動画疑似輪郭などに対して有効な駆動方法（負論理）や、最初に消去を実行した後、所望のサブフィールドから点灯を開始させる駆動方法（正論理）など、大きく２つあるが、以降の説明は、正論理を例として行う。もちろん本発明は正論理に限るものではない。
【００３８】
図５に維持期間にアドレス期間を重ねて駆動するときの波形例を示す。図５は、第１ブロックが維持動作を行っている期間に第２ブロックがアドレス動作を行っている場合を示している。縦軸は各パルスの振幅であり、横軸は時間である。第１ブロックでは、スキャン電極とサステイン電極にそれぞれ交互に維持パルスを印加している。このとき、第２ブロックではアドレス動作を実行しており、その時にスキャン電極に印加するスキャンパルスを示している。スキャンパルスは時間と共に各ラインを順次選択していく動作であるので実際は１行に１パルスのみであるが、タイミングを説明するために各ラインのパルスをまとめて表現している。このスキャンパルスに同期させてアドレス電極にデータ電圧を印加するとアドレス放電が発生し、アドレス動作を行うことができる。
【００３９】
ここで、アドレス周期をスキャンパルスのパルス幅とし、維持周期を維持パルス１発分の時間幅と定義すると、図５ではアドレスパルスは維持周期の１／２の幅に設定していることになる。このようにアドレス周期を設定すると、第１ブロックのスキャン、サステインの両維持パルスに対し、第２ブロックのスキャンパルスが常に同じタイミングで重なることになり、ブロック間で制御パルスの位相関係を常に等しくすることができる。
【００４０】
一方、維持期間に任意の幅でアドレス期間を重ねた場合の駆動波形例を図６に示す。図５と同様に第１ブロックの維持期間に第２ブロックのアドレス動作を重ねた動作を示している。図６は第２ブロックのアドレス周期が第１ブロックの維持周期の１／２倍よりも少し大きい場合を示しており、第１ブロックの維持パルスと第２ブロックのスキャンパルスとの位相関係が時間と共に変化している状態である。このような場合、第２ブロックのスキャンパルスの位相タイミングによっては、第１ブロックの維持発光に影響が出る場合がある。例えば、維持発光が発生するタイミングにスキャンパルスが存在し、データ電極にデータ電圧が印加される(アドレス動作を行う)と維持発光の輝度が増加することがある。この場合、第２ブロックのアドレス動作の状態（データ電圧の有無）によって、第１ブロックの輝度に差が発生することになる。このように、スキャンパルスの周期（アドレス周期）が維持周期の１／２倍からずれていると、結果として発光輝度のばらつきが生じ、映像を表示した場合輝度ムラやざらつきなどの表示欠陥となってしまう。
【００４１】
以上のことから、維持期間にアドレス期間を重ねて駆動する駆動方法においては、アドレス周期を維持周期の１／２倍に設定することにより、アドレス動作を行うスキャンパルスと維持発光を行う維持パルスとの位相タイミングが揃い、維持発光に影響を与えずにアドレス動作を行うことができる。よって、維持動作とアドレス動作を重ねる駆動方法を不具合なく、安定に動作させることができる。
【００４２】
次に、アドレス周期をサブフィールド毎に変化させる場合を説明する。
【００４３】
以下では、ＰＷＭ駆動方式における正論理駆動を例として説明する。この駆動方法は、セットアップ（初期化）動作のあと所定のサブフィールドにおいてアドレス動作を行い、アドレス発光を行った放電セルでは、それ以降の維持期間で連続的に発光させるという駆動方法である。
【００４４】
このとき、セットアップから時間的に離れている後半のサブフィールドでは、各セルの電荷状態が変化してしまい、アドレス発光開始までの時間が長くなることが知られている。このため、後半のサブフィールドとなるに従い、アドレス時間を長くする必要がある。このような場合においても、アドレス周期を任意に長くするのではなく、他ブロックの維持動作に影響を与えないようにアドレス動作を行う必要がある。
【００４５】
図７に、サブフィールドによってアドレス周期を変化させている例を示す。図７ではアドレス周期を維持周期のそれぞれ１／４倍、１／２倍、２／２倍、３／２倍に設定した例を示しており、後半のサブフィールドとなるに従いアドレス周期を増加させている。具体的にこの倍数について説明する。
【００４６】
図８に波形例を示す。図５と同様に第１ブロックの維持期間に第２ブロックのアドレス動作を重ねた動作である。図５ではアドレス周期を維持周期の１／２倍に設定したがこれに限るものではなく、維持周期とアドレス周期の位相関係が一定であればよい。図では、アドレス周期を維持周期の１／４倍に設定している。この場合、維持パルスのパルス内にアドレス動作を行うスキャンパルスが２回重ねられている。維持パルスとの位相関係は、維持パルス内のタイミング（図中ａ点）と維持パルス終了時のタイミング（図中ｂ点）の２箇所に注目すればよい。この２点においても維持パルスとの位相関係は常に一定であり、維持発光に影響を与えることなくアドレス動作を行うことができる。
【００４７】
以上のことから、アドレス周期を維持周期の１／２倍、１／４倍のみでなく、例えば、１／３倍、１／５倍など１／ｎ倍（ｎは整数）として動作させることも可能である。このとき、維持パルス内に重なるスキャンパルスにおいて、考慮するタイミングのポイント数が増えるが、維持発光に影響を与えない位相タイミングを設定すれば動作可能である。つまり、アドレス周期と維持周期の位相関係をあわせることにより、維持期間にアドレス動作を安定して重ねることができる。
【００４８】
次に、アドレス周期が長い場合を説明する。図９に駆動波形を示す。これも同様に、第１ブロックが維持している期間に第２ブロックがアドレス動作を行っている場合を示している。図９では、アドレス周期を維持周期と同じ長さにしており、この場合も同様に考えて、アドレス動作を行うスキャンパルスと維持発光を行う維持パルスとの位相を合わせている。また、図１０では、アドレス周期は維持周期の１／２を３倍した長さ、つまり維持周期の３／２倍の長さに設定している。この場合も、維持パルスとアドレス動作を行うスキャンパルスとの位相関係は一定であり、維持発光に影響を与えずにアドレス動作を行うことができる。以上のことから、アドレス周期が維持周期の１／２倍の整数倍であれば、維持を行う維持パルスとアドレスを行うスキャンパルスの波形の位相がそろい、維持発光に影響を与えずにアドレス動作を行うことが可能となる。
【００４９】
図９、図１０からアドレス周期を長く設定したい場合、維持発光に影響を与えずにアドレス動作を行うためには、アドレス周期を維持周期のｎ／２倍（ｎは整数）に設定すればよいことがわかる。
【００５０】
以上、図５および図８〜図１０で説明したように、維持期間にアドレス期間を重ねて駆動する駆動方法において、アドレス周期を維持周期のｎ／２倍あるいは１／ｎ倍とすることにより、維持パルスとアドレスパルスとの位相を揃えることができ、維持発光に影響を与えずにアドレス動作を行うことができる。
【００５１】
以上のようにアドレス周期を変化させた場合の具体的なアドレス周期について図７を用いて説明する。
【００５２】
サブフィールド１から２（ＳＦ１〜ＳＦ２）では、セットアップ後間もないためアドレス時間を短くできる。このため、維持周期の１／４倍に設定している。例えば維持周期を４ｕｓとするとアドレス周期は１ｕｓとなる。次に、サブフィールド３から１０（ＳＦ３〜ＳＦ１０）では、平均的なアドレス時間を設定しており、維持周期の１／２倍にしている。同様に維持周期を４ｕｓとするとアドレス周期は２ｕｓとなる。次に、サブフィールド１１から１３（ＳＦ１１〜ＳＦ１３）では、セットアップからの時間的距離が長いため、アドレス周期を長くしており維持周期の２／２倍（１倍）としている。これも同様に維持周期を４ｕｓとするとアドレス周期は４ｕｓとなる。最後に、最もセットアップから時間的に距離があるサブフィールド１４（ＳＦ１４）では、さらにアドレス周期を伸ばして、維持周期の３／２倍に設定している。これも同様に維持周期を４ｕｓとするとアドレス周期は６ｕｓとなる。このように、維持期間にアドレス動作を重ねる駆動方法において、維持発光に影響を与えないようにアドレス周期を維持周期のｎ／２倍あるいは１／ｎ倍に設定し、且つサブフィールドによってアドレス周期を増加させることにより、アドレス動作を確実に行うことができる。
【００５３】
以上のように、維持期間にアドレス期間を重ねて駆動する駆動方法において、１フィールド内のサブフィールドによってアドレス周期を維持周期のｎ／２倍あるいは１／ｎ倍とすることにより、維持パルスとアドレスパルスとの位相を揃えることができ、維持発光に影響を与えずにアドレス動作の増減を行うことができる。よって、維持発光に影響や不具合などを発生することなく、安定に動作させることができる。結果、本来のブロック駆動の特徴である高階調性に加え、動作を安定に実行できる利点を持つ。
【００５４】
なお、実施の形態において、第１ブロックの維持期間に第２ブロックのアドレス動作を重ねた動作で説明を行ったが、これに限るものではなく、あるブロックの維持期間に他のブロックのアドレス動作を重ねる場合に用いればよい。
【００５５】
なお、ブロック数を４としたが、これに限定することはなく、２分割、６分割、８分割などでも同様の駆動を行うことができる。
【００５６】
なお、ブロック駆動のみならず、ライン単位である電極における維持動作に他のラインの電極でのアドレス動作を重ねる駆動においても有効であり、同様の考え方で安定にアドレス動作が可能である。
【００５７】
（実施の形態２）
図１１は、本発明の実施の形態２によるＰＤＰの駆動方法における駆動波形について説明した図である。ここでＰＤＰの概略構成は図３に示したものと同様であり、駆動シーケンスも図４と同様である。また、維持期間にアドレス動作を重ねる駆動方法も実施の形態１と同様である。
【００５８】
実施の形態２では、１つのアドレス期間内でアドレス周期を変化させる場合を説明している。例えば、実施の形態１でセットアップからの時間的な距離によってアドレス周期を変化させた様に、本実施の形態では、１アドレス期間内でアドレス周期を変化させている。
【００５９】
図１１にアドレス動作の波形例を示す。セットアップからの時間的な距離は、アドレス期間内においても相対的に発生しており、アドレス期間の前の方では比較的アドレス発光が起きやすいため、アドレス周期を短くし、一方、アドレス期間の後ろの方ではアドレス周期を長くしている。
【００６０】
図のように、アドレス期間の前の方ではアドレス周期を維持周期の１／２倍とし、順次２／２倍、３／２倍と増加させている。
【００６１】
このようにアドレス期間内においてもアドレス周期を変化（増加）させて、アドレス動作を安定して実行させている。また、アドレス周期の増加の方法に関しても、維持期間にアドレス期間を重ねて駆動しているため、アドレス周期を維持周期のｎ／２倍あるいは１／ｎ倍とすることにより、維持パルスとアドレスパルスとの位相を揃えることができ、維持発光に影響を与えずにアドレス動作を行うことができる。
【００６２】
以上のように、１アドレス期間内でもアドレス周期を変化させることにより、アドレス動作自身も安定に動作させることができ、さらに維持発光に影響を与えることなく維持期間にアドレス動作を重ねることができる。結果、本来のブロック駆動の特徴である高階調性に加え、動作を安定に実行できる利点を持つ。
【００６３】
なお、ブロック駆動のみならず、ライン単位である電極における維持動作に他のラインの電極でのアドレス動作を重ねる駆動においても本実施の形態における駆動方法は有効であり、同様の考え方で安定にアドレス動作が可能である。
【産業上の利用可能性】
【００６４】
以上のように本発明のプラズマディスプレイパネルの駆動方法によれば、アドレス周期を維持周期のｎ／２倍あるいは１／ｎ倍に設定することにより、高階調化、安定動作が可能なプラズマディスプレイパネルの駆動方法を提供することができる。
【図面の簡単な説明】
【００６５】
【図１】本発明の一実施の形態によるプラズマディスプレイパネルの駆動方法により駆動されるプラズマディスプレイパネルの概略構成を示す断面斜視図
【図２】図１における放電セルの概略構成を模式的に示す断面図
【図３】本発明の一実施の形態によるプラズマディスプレイパネルの駆動方法を行う駆動装置の概略構成を示すブロック図
【図４】本発明の一実施の形態によるプラズマディスプレイパネルの駆動方法を説明するためのタイミングチャート
【図５】同じく、本発明の一実施の形態によるプラズマディスプレイパネルの駆動方法を説明するための駆動波形の一例を示す図
【図６】同じく、本発明の一実施の形態によるプラズマディスプレイパネルの駆動方法を説明するための駆動波形の一例を示す図
【図７】サブフィールドによりアドレス周期を変化させた例を示す図
【図８】同じく、本発明の一実施の形態によるプラズマディスプレイパネルの駆動方法を説明するための駆動波形の一例を示す図
【図９】同じく、本発明の一実施の形態によるプラズマディスプレイパネルの駆動方法を説明するための駆動波形の一例を示す図
【図１０】同じく、本発明の一実施の形態によるプラズマディスプレイパネルの駆動方法を説明するためのアドレス周期の一例を示す図
【図１１】同じく、本発明の一実施の形態によるプラズマディスプレイパネルの駆動方法を説明するための駆動波形の一例を示す図
【符号の説明】
【００６６】
１  ＰＤＰ（プラズマディスプレイパネル）
４  スキャン電極
５  サステイン電極
６  行電極
１１  アドレス電極（列電極）
１６  放電セル
【図１】
2005331817.tif 000003
【図２】
2005331817.tif 000004
【図３】
2005331817.tif 000005
【図４】
2005331817.tif 000006
【図５】
2005331817.tif 000007
【図６】
2005331817.tif 000008
【図７】
2005331817.tif 000009
【図８】
2005331817.tif 000010
【図９】
2005331817.tif 000011
【図１０】
2005331817.tif 000012
【図１１】
2005331817.tif 000013